(57)【要約】本発明は、携帯端末装置が置き忘れられた場合に、その携帯端末装置の捜索を支援する携帯端末装置及び無線通信ユニット並びに携帯端末装置の置き忘れ検出システムを提供することを目的とする。  携帯電話１０と、携帯型の無線通信ユニットである無線通信ユニット２０との間で無線通信を行って、携帯電話１０の置き忘れを検出が可能なシステムであり、携帯電話１０は、無線通信ユニット２０に、自端末装置の識別情報及び時刻情報を近距離無線通信により送信し、無線通信ユニット２０は、携帯端末装置と近距離無線通信を行い、前記携帯端末装置の識別情報及び時刻情報を受信し、受信した時刻情報を表示する。所定の距離、例えば、携帯電話１０と無線通信ユニット２０との距離が通信可能距離を越えると、無線通信ユニット２０に表示される時刻の更新が停止することにより、所有者に置き忘れの時刻を提示する。【特許請求の範囲】
【請求項１】
携帯端末装置と、携帯型の無線通信ユニットとの間で無線通信を行って、前記携帯端末装置の置き忘れを検出可能なシステムの携帯端末装置であって、
携帯型の無線通信ユニットと近距離無線通信を行う近距離無線通信部を備え、
前記近距離無線通信部は、前記無線通信ユニットに、自端末装置の識別情報及び時刻情報を送信する携帯端末装置。
【請求項２】
請求項１に記載の携帯端末装置であって、
前記無線通信ユニットから送信される識別コードに基づいて、前記無線通信ユニットとの距離を判定する距離判定部と、
前記距離判定部により、前記無線通信ユニットとの距離が、第一の距離より大きいと判定されたときに、指定された機能の使用を制限する機能制限部とを更に備える携帯端末装置。
【請求項３】
請求項１又は２に記載の携帯端末装置であって、
前記距離判定部により、前記無線通信ユニットとの距離が、第二の距離より大きいと判定された場合に、警報を発生する警報部を更に備える携帯端末装置。
【請求項４】
請求項３に記載の携帯端末装置であって、
前記警報部は、前記距離判定部により、前記無線通信ユニットとの距離が、前記第二の距離より長い第三の距離より大きいと判定された場合に、前記警報を停止する携帯端末装置。
【請求項５】
請求項４に記載の携帯端末装置であって、
前記警報部は、前記距離判定部により、前記無線通信ユニットとの距離が、前記第三の距離以下である第四の距離より小さいと判定された場合に警報を発生する携帯端末装置。
【請求項６】
請求項１ないし５のいずれか一項に記載の携帯端末装置であって、
自端末装置の位置情報を取得する位置取得部を更に備え、
前記近距離無線装置は、前記識別情報及び前記時刻情報に加え、前記位置情報を送信する携帯端末装置。
【請求項７】
携帯端末装置と、携帯型の無線通信ユニットとの間で無線通信を行って、前記携帯端末装置の置き忘れを検出可能なシステムの無線通信ユニットであって、
前記携帯端末装置と近距離無線通信を行い、前記携帯端末装置の識別情報及び時刻情報を受信する近距離無線通信部と、
前記受信した時刻情報を抽出する抽出部と、
前記抽出された時刻情報を表示する表示部とを備える無線通信ユニット。
【請求項８】
請求項７に記載の無線通信ユニットであって、
前記抽出部は、前記近距離無線通信部が前記携帯端末装置の位置情報を受信した場合に、前記位置情報を抽出し、
前記表示部は前記位置情報を表示する無線通信ユニット。
【請求項９】
請求項７又は８に記載の無線通信ユニットであって、
前記表示部は、電源が供給され続けなくても表示した情報を保持することが可能な表示部を有する無線通信ユニット。
【請求項１０】
携帯端末装置と、携帯型の無線通信ユニットとの間で無線通信を行って、前記携帯端末装置の置き忘れを検出可能なシステムであって、
前記携帯端末装置は、携帯型の無線通信ユニットと近距離無線通信を行う近距離無線通信部を備え、前記近距離無線通信部は、前記無線通信ユニットに、自端末装置の識別情報及び時刻情報を送信し、
前記無線通信ユニットは、前記携帯端末装置と近距離無線通信を行い、前記携帯端末装置の識別情報及び時刻情報を受信する近距離無線通信部と、前記受信した時刻情報を抽出する抽出部と、前記抽出された時刻情報を表示する表示部とを備えるシステム。
【発明の詳細な説明】
【技術分野】
【０００１】  本発明は、携帯端末装置と、携帯型の無線通信ユニットとの間で無線通信を行って、前記携帯端末装置の置き忘れを検出可能なシステムに関する。
【背景技術】
【０００２】  携帯電話等の携帯端末は、常に持ち歩くことが多いので置き忘れる等から紛失につながる可能性があるものの、近年の高機能化により、個人情報、電子通貨の点から紛失した場合のリスクが大きい。【０００３】  従来、携帯電話機などの各種機器が置き忘れや盗難などにより無断使用されるのを防止することを目的として、携帯電話機の通話機能を携帯電話機が所有者から一定距離以上離れると制限するような受信器を携帯電話機に組み込み、この受信器へ無線信号を発信する発信器を有するカードを所有者が常に胸のポケットなどに入れるようにして、置き忘れや盗難で所有者から携帯電話機が一定距離以上離れると上記発信器からの信号が弱くなり自動的に携帯電話機の内部動作を制限する、機器の使用制限装置があった（例えば、特許文献１参照）。【０００４】  また、ブルートゥース（登録商標、以下同じ）機能を有する携帯電話との間で無線接続を確立するブルートゥースモジュール部と、携帯電話との接続が一定時間継続している場合に携帯電話の置き忘れと判定し、予め設定された通信先に機器ＩＤ及び現在位置情報の少なくとも１つを携帯電話を介して送信させるマイコンを備える携帯電話の置き忘れ検知装置があった（例えば、特許文献２参照）。【０００５】
【特許文献１】特開平１１−８８４９９号公報
【特許文献２】特開２００３−３４８６５９号公報
【発明の開示】
【発明が解決しようとする課題】
【０００６】  しかしながら、特許文献１に記載された機器の使用制限装置にあっては、携帯端末を置き忘れた場合、その置き忘れに気付いてから、その場所を特定することができないといった事情があった。また、特許文献２に記載されたような携帯電話の置き忘れ検知装置にあっては、置き忘れ検知用の機器を設置する必要があり、置き忘れの検知可能な領域が限られてしまうといった事情があった。【０００７】  本発明は、上記従来の事情に鑑みてなされたものであって、携帯端末装置が置き忘れられた場合に、その携帯端末装置の捜索を支援する携帯端末装置及び無線通信ユニット並びに携帯端末装置の置き忘れ検出システムを提供することを目的とする。
【課題を解決するための手段】
【０００８】  本発明の携帯端末装置は、携帯端末装置と、携帯型の無線通信ユニットとの間で無線通信を行って、前記携帯端末装置の置き忘れを検出可能なシステムの携帯端末装置であって、携帯型の無線通信ユニットと近距離無線通信を行う近距離無線通信部を備え、前記近距離無線通信部は、前記無線通信ユニットに、自端末装置の識別情報及び時刻情報を送信する。【０００９】  この構成により、無線通信ユニットを所持する携帯端末装置の所有者は、携帯端末装置から通信可能距離以上離れたときの時刻から置き忘れた場所を容易に類推することができるので、携帯端末装置が置き忘れられた場合に、その携帯端末装置の捜索を支援することが可能となる。【００１０】  また、本発明の携帯端末装置は、前記無線通信ユニットから送信される識別コードに基づいて、前記無線通信ユニットとの距離を判定する距離判定部と、前記距離判定部により、前記無線通信ユニットとの距離が、第一の距離より大きいと判定されたときに、指定された機能の使用を制限する機能制限部とを更に備える。【００１１】  この構成により、無線通信ユニットから離れることにより所有者以外の人物に携帯端末装置が無断使用されるのを防止することができる。【００１２】  また、本発明の携帯端末装置は、前記距離判定部により、前記無線通信ユニットとの距離が、第二の距離より大きいと判定された場合に、警報を発生する警報部を更に備える。【００１３】  この構成により、無線端末装置から離れたことを所有者が認識することができる。【００１４】  また、本発明の携帯端末装置において、前記警報部は、前記距離判定部により、前記無線通信ユニットとの距離が、前記第二の距離より長い第三の距離より大きいと判定された場合に、前記警報を停止する。【００１５】  この構成により、所有者が警報を気付かず、更に携帯端末装置から離れてしまった場合に、警報が発生しつづけることを防止することが出来る。【００１６】  また、本発明の携帯端末装置において、前記警報部は、前記距離判定部により、前記無線通信ユニットとの距離が、前記第三の距離以下である第四の距離より小さいと判定された場合に警報を発生する。【００１７】  この構成により、所有者が再び携帯端末装置に近付いた場合に、そのことを認識させることができる。【００１８】  また、本発明の携帯端末装置は、自端末装置の位置情報を取得する位置取得部を更に備え、前記近距離無線装置は、前記識別情報及び前記時刻情報に加え、前記位置情報を送信する。【００１９】  この構成により、位置情報を用いた携帯端末装置の捜索を支援することが可能となる。【００２０】  本発明の無線通信ユニットは、携帯端末装置と、携帯型の無線通信ユニットとの間で無線通信を行って、前記携帯端末装置の置き忘れを検出可能なシステムの無線通信ユニットであって、前記携帯端末装置と近距離無線通信を行い、前記携帯端末装置の識別情報及び時刻情報を受信する近距離無線通信部と、前記受信した時刻情報を抽出する抽出部と、前記抽出された時刻情報を表示する表示部とを備える。【００２１】  この構成により、無線通信ユニットを所持する携帯端末装置の所有者は、携帯端末装置から通信可能距離以上離れたときの時刻から置き忘れ��場所を容易に類推することができるので、携帯端末装置が置き忘れられた場合に、その携帯端末装置の捜索を支援することが可能となる。【００２２】  また、本発明の無線通信ユニットにおいて、前記抽出部は、前記近距離無線通信部が前記携帯端末装置の位置情報を受信した場合に、前記位置情報を抽出し、前記表示部は前記位置情報を表示する。【００２３】  この構成により、位置情報を用いた携帯端末装置の捜索を支援することが可能となる。【００２４】  また、本発明の無線通信ユニットは、前記表示部は、電源が供給され続けなくても表示した情報を保持することが可能な表示部を有する。【００２５】  この構成により、時刻等を表示するための電力の消費を防止することが出来る。【００２６】  携帯端末装置と、携帯型の無線通信ユニットとの間で無線通信を行って、前記携帯端末装置の置き忘れを検出可能なシステムであって、前記携帯端末装置は、携帯型の無線通信ユニットと近距離無線通信を行う近距離無線通信部を備え、前記近距離無線通信部は、前記無線通信ユニットに、自端末装置の識別情報及び時刻情報を送信し、前記無線通信ユニットは、前記携帯端末装置と近距離無線通信を行い、前記携帯端末装置の識別情報及び時刻情報を受信する近距離無線通信部と、前記受信した時刻情報を抽出する抽出部と、前記抽出された時刻情報を表示する表示部とを備える。【００２７】  このシステムにより、無線通信ユニットを所持する携帯端末装置の所有者は、携帯端末装置から通信可能距離以上離れたときの時刻から置き忘れた場所を容易に類推することができるので、携帯端末装置が置き忘れられた場合に、その携帯端末装置の捜索を支援することが可能となる。
【発明の効果】
【００２８】  本発明によれば、携帯端末装置が置き忘れられた場合に、その携帯端末装置の捜索を支援する携帯端末装置及び無線通信ユニット並びに携帯端末装置の置き忘れ検出システムを提供することができる。
【図面の簡単な説明】
【００２９】
【図１】本発明の第１の実施形態に係るシステムの概要を示す説明図
【図２】第１の実施形態に係るシステムの概略構成を示すブロック図
【図３】第１の実施形態に係る第１の状態における各部の動作を示すシーケンス図
【図４】第１の実施形態に係る第２の状態における各部の動作を示すシーケンス図
【図５】第１の実施形態に係る第３の状態における各部の動作を示すシーケンス図
【図６】第１の実施形態に係る第４の状態における各部の動作を示すシーケンス図
【図７】本発明の第２の実施形態に係るシステムの概要を示す説明図
【符号の説明】
【００３０】  １  所有者
１０、３０  携帯電話
１０ａ、３０ａ  無線認証部
１０ｂ  携帯電話機能部
１１  識別コード格納部
１２  計時部
１３、３３  送受信部
１４、３４  判定部
１５  無線認証制御部
１６  警報発生部
１７  操作部
１８  携帯電話機能制御部
１９  送受信部
２０  無線通信ユニット
２１  識別コード格納部
２２  送受信部
２３、４３  データ分離部
２４、４４  表示部
２５  判定部
２６  警報発生部
３１  位置検出部
４１  地図作成部
５０  衛星
６０  携帯電話基地局
Ａ１ａ、Ａ１ｂ、Ａ２、Ａ３  アンテナ
【発明を実施するための最良の形態】
【００３１】  （第１の実施形態）
図１は、本発明の第１の実施形態に係るシステムの概要を示す説明図である。図１に示すように、第１の実施形態のシステムは、携帯端末装置の一例である携帯電話１０と、所有者１により所持される携帯型の無線通信ユニットの一例である無線通信ユニット２０との間で無線通信を行って、携帯電話１０の置き忘れを検出可能なシステムである。【００３２】  ここで、本実施形態では、携帯電話１０が置き忘れられた場合の携帯電話１０と無線通信ユニット２０との関係として、図１（Ａ）ないし（Ｄ）に示す４つの状態について説明する。なお、図１において、Ａ地点は携帯電話１０が置かれている位置、Ｂ地点は携帯電話１０から所定距離だけ離れた位置、Ｃ地点は携帯電話１０と無線通信ユニット２０との最大通信可能距離だけ離れた地点とする。【００３３】  本実施形態の携帯電話１０は、無線通信ユニット２０に所定時間毎に現在時刻情報を送信し、無線通信ユニット２０は受信した時刻を表示する機能を有する。【００３４】  図１（Ａ）は、Ａ地点に携帯電話１０が置かれたまま、所有者１が携帯する無線通信ユニット２０が、Ａ−Ｂ地点間からＢ地点より離れた位置に移動した状態（以下、第１の状態という）を示す図である。このとき、携帯電話１０は、無線通信ユニットとの無線通信により、Ｂ地点より離れたことを判定すると、警報を発生して所有者１に報知する。また、携帯電話１０は、他人に悪用されないよう、機能の使用を制限する。【００３５】  図１（Ｂ）は、Ａ地点に携帯電話１０が置かれたまま、所有者１が携帯する無線通信ユニット２０が、Ｂ−Ｃ地点間からＣ地点より離れた位置に移動した状態（以下、第２の状態という）を示す図である。【００３６】  第１の状態において携帯電話１０が警報を発生したとしても、所有者が気づかず、更に携帯電話１０から離れ、第２の状態となる場合もある。そのとき、Ｃ地点より離れることにより、無線通信ユニット２０との通信が切断されるので、携帯電話１０からの時刻情報が受信できなくなる。すなわち、無線通信ユニット２０の表示部２４（図２参照）に表示される時刻が更新されなくなる。したがって、所有者１はＣ地点より離れてしまった時刻、すなわち携帯電話１０を置き忘れた時刻を把握することができる。そして、所有者は、無線通信ユニット２０に表示された時刻と現在時刻との差等から、自分が移動してきたルートを考えることにより、携帯電話１０の位置を類推することができ、その位置に基づいて捜索することができる。【００３７】  なお、第２の状態になった場合に、携帯電話１０は警報の発生を停止する。これにより、使用者が離れてしまった状態にあるときに、警報が発生し続けることを回避することができる。【００３８】  図１（Ｃ）は、Ａ地点に携帯電話１０が置かれたまま、所有者１が携帯する無線通信ユニット２０が、Ｃ地点外からＢ−Ｃ地点間に移動した状態（以下、第３の状態という）を示す図である。【００３９】  所有者１は、以前通ったルートを後戻りするうちにＢ−Ｃ地点の範囲に入る。この第３の状態では、携帯電話１０と無線通信ユニット２０との間の通信が復活するので、無線通信ユニット２０に表示される時刻が更新される。これにより、所有者１は無線通信ユニット２０に��示される時刻が更新されているのを見て、捜索している方角が間違ってないことを知ることができる。【００４０】  図１（Ｄ）は、Ａ地点に携帯電話１０が置かれたまま、所有者１が携帯する無線通信ユニット２０が、Ｂ−Ｃ地点間からＡ−Ｂ地点間に移動した状態（以下、第４の状態という）を示す図である。【００４１】  所有者１は、更に捜索を進めるうちにＡ−Ｂ地点の範囲に入る。この第４の状態になると、携帯電話１０は警報を発生する。これにより、所有者１は、警報を頼りに、携帯電話１０を探し出すことができる。このようにして、無線通信ユニット２０を利用することにより、所有者１は、携帯電話１０を置き忘れた場合においても、容易に探し出すことができる。【００４２】  図２は、第１の実施形態に係るシステムの概略構成を示すブロック図である。図２に示すように、携帯電話１０は、無線認証部１０ａと携帯電話機能部１０ｂとを有して構成されている。【００４３】  無線認証部１０ａは、識別コード格納部１１と、計時部１２と、送受信部１３と、判定部１４と、無線認証制御部１５と、警報発生部１６と、無線認証用アンテナＡ１ａとを備える。【００４４】  また、携帯電話機能部１０ｂは、操作部１７と、携帯電話機能制御部１８と、送受信部１９と、携帯電話用アンテナＡ１ｂとを備える。【００４５】  携帯電話１０は、携帯電話基地局６０との通信を、携帯電話用アンテナＡ１ｂを介して行う。携帯電話機能部１０ｂの送受信部１９は携帯電話用アンテナＡ１ｂから受信した信号を携帯電話機能制御部１８へ送るとともに、携帯電話機能制御部１８からの信号を携帯電話用アンテナＡ１ｂへと送るものである。携帯電話機能制御部１８は、携帯電話１０における通話やインターネットやゲームといった携帯電話本来の機能を制御するものである。【００４６】  識別コード格納部１１は、無線通信ユニット２０と通信するための識別コードを格納し、送受信部１３に出力する。計時部１２は、現在時刻を計時し、また、判定部１４からの命令信号により、現在時刻情報を送受信部１３に出力する。なお、計時部１２は、携帯電話基地局６０などを介して外部から現在時刻を取得してもよい。【００４７】  送受信部１３は、識別コード格納部１１から入力された識別コードと、計時部１２から入力された時刻情報を１つのデータに多重し、無線通信ユニット２０へ無線認証部用のアンテナＡ１ａにより出力する。また、無線通信ユニット２０から送られてきた識別コードを無線認証部用のアンテナＡ１ａにより受信し、受信レベルに応じた検出信号を生成し、検出信号を判定部１４に出力する。なお、受信レベルの代わりに、受信した信号のビット誤り率やパケット誤り率やＲＳＳＩ（Ｒｅｃｅｉｖｅｄ  Ｓｉｇｎａｌ  Ｓｔｒｅｎｇｔｈ  Ｉｎｄｉｃａｔｏｒ）を用いてもよい。更に、判定部１４からの命令信号により、無線通信ユニット２０への識別コード及び時刻情報の送信の停止・開始が制御される。なお、無線通信ユニット２０との通信方式としては、近距離無線通信方式等が用いられる。【００４８】  判定部１４は、送受信部１３から送られてきた検出信号に基づいて距離を判定し、判定部１４の内部に持っている内部信号とを比較する。その結果から導かれた命令信号��、計時部１２、送受信部１３、無線認証制御部１５、警報発生部１６にそれぞれ出力する。【００４９】  ここで内部信号とは、無線通信ユニット２０との距離に対応して判定部１４に予め格納された、送受信部１３によって検出される検出信号の数値である。例えば、判定部１４は、無線通信ユニット２０との距離が、図１中のＡ−Ｂ点間距離、Ａ−Ｃ点間距離、Ａ−Ｄ点間距離におけるそれぞれの検出信号を内部信号として予め格納しておき、内部信号と、実際の検出信号の数値とを比較して携帯電話と無線通信ユニット間がどの程度の距離であるか判断し、その状況に応じた命令信号を各部に送出する。【００５０】  無線認証制御部１５は、判定部１４からの命令信号により、無線認証が成功しているかどうかを示す制御信号を携帯電話制御部１８に送る。携帯電話機能制御部１８は無線認証制御部１５からの制御信号により、携帯電話１０をロック状態にしたり、又はロック状態の解除を行う。ロック状態の例としては、予め指定された機能の使用を制限するだけでもよいし、全ての機能の使用を制限してもよい。また、無線通信ユニット２０が所定の距離より離れた状態であれば一切の機能を停止し、所定の距離以内であればパスワード等の入力の受付のみを許可する等、無線通信ユニット２０との距離に応じて制限する機能を選択してもよい。【００５１】  警報発生部１６は、判定部１４からの命令信号により、携帯電話１０の警報発出、また、発出している警報の停止を行う。この警報は、警報音の出力や発光素子、バイブレータによる振動等のいずれか少なくとも一つを用いた報知方法等、種々の報知方法により行われる。【００５２】  操作部１７は、テンキー等を有して携帯電話１０の操作入力を受け付けるものであり、テンキーなどを利用して入力された操作情報を、判定部１４に対して出力する。【００５３】  無線通信ユニット２０は、識別コード格納部２１と、送受信部２２と、データ分離部２３と、表示部２４と、判定部２５と、警報発生部２６と、無線通信ユニット用アンテナＡ２とを有する。また、無線通信ユニット２０は、所有者１により身に着けたり、携帯されやすい形状であることが好ましく、例えば、小型でいわゆるカード型の形状を有する。【００５４】  識別コード格納部２１は、携帯電話１０と通信するための識別コードを格納し、送受信部２２に出力する。
送受信部２２は、識別コード格納部２１から入力された識別コードを携帯電話１０に送信する。また、携帯電話１０から送信されてきた識別コード及び時刻情報の信号を、無線通信ユニット用アンテナＡ２を介して受信し、データ分離部２３へ出力する。さらに、受信した信号の受信レベルに応じた検出信号を生成し、検出信号を判定部２５に出力する。なお、受信レベルの代わりに、受信した信号のビット誤り率やパケット誤り率やＲＳＳＩ（Ｒｅｃｅｉｖｅｄ  Ｓｉｇｎａｌ  Ｓｔｒｅｎｇｔｈ  Ｉｎｄｉｃａｔｏｒ）を用いてもよい。【００５５】  データ分離部２３は、送受信部２２から入力された識別コード及び時刻情報を分離し、時刻情報だけを表示部２４に出力する。【００５６】  表示部２４は、データ分離部２３から送られてきた時刻情報を画面に表示する。なお、この表示部２４は、例えば、コレステリック液晶等の表示情報の更新のみに電源が必要で、電源が供給され続けなくても表示した情報を保持することが可能な表示装置であることが好ましい。これにより、時刻表示に関連した電力の消費を抑えることができる。また、視認性を考慮すると、カラー表示可能で、更に、無線通信ユニット２０の携帯性を考慮すると、薄型であることが好ましい。【００５７】  判定部２５は、送受信部２２から送られてきた検出信号に基づいて距離を判定し、判定部２５の内部に持っている内部信号とを比較する。その結果から導かれた命令信号を、警報発生部２６に出力する。【００５８】  警報発生部２６は、判定部２５からの命令信号により、無線通信ユニット２０の警報発出、また、発出している警報の停止を行う。この警報は、警報音の出力や発光素子、バイブレータによる振動等のいずれか少なくとも一つを用いた報知方法等、種々の報知方法により行われる。【００５９】  このようなシステムの動作について、図３〜図６を用いて説明する。図３は、第１の実施形態に係る第１の状態における各部の動作を示すシーケンス図である。【００６０】  図３に示すように、無線通信ユニット２０の識別コード格納部２１は、所定時間毎に送受信部２２に識別コードを出力する（ステップＳ１０１）。送受信部２２は、携帯電話１０に識別コードを出力する（ステップＳ１０２）。【００６１】  携帯電話１０の送受信部１３は、受信した信号レベルに応じて、検出信号を生成し（ステップＳ１０３）、判定部１４に検出信号を出力する（ステップＳ１０４）。判定部１４は、検出信号と内部信号とを比較して第１の状態であることを判定し、第１の状態用の命令信号を生成する（ステップＳ１０５）。【００６２】  そして、判定部１４は、第１の状態用の命令信号として、無線認証制御部１５に機能をロックさせる命令を出し、無線認証制御部１５は機能のロックを行う（ステップＳ１０６）。また、警報発生部１６に警報を発生させる命令を出し、警報発生部１６は警報の発生を行う（ステップＳ１０７）。更に、計時部１２に、時刻情報を送受信部１３に出力させる命令を出す（ステップＳ１０８）。【００６３】  計時部１２は、時刻情報を送受信部１３に時刻情報を出力する（ステップＳ１０９）。識別コード格納部１１は、識別コードを出力する（ステップＳ１１０）。送受信部１３は、識別コードと時刻情報とを多重したデータを生成し（ステップ１１１）、無線通信ユニット２０に送信する（ステップ１１２）。【００６４】  無線通信ユニット２０の送受信部２２は、携帯電話１０から受信した信号をデータ分離部２３に出力する（ステップＳ１１３）。データ分離部２３は、受信した信号から時刻情報を抜き出し（ステップＳ１１４）、表示部２４に出力する（ステップＳ１１５）。【００６５】  図４は、第１の実施形態に係る第２の状態における各部の動作を示すシーケンス図である。図４に示すように、無線通信ユニット２０の識別コード格納部２１は、所定時間毎に送受信部２２に識別コードを出力する（ステップＳ２０１）。送受信部２２は、携帯電話１０に識別コードを出力する（ステップＳ２０２）。【００６６】  携帯電話１０の送受信部１３は、受信した信号レベルに応じて、検出信号を生成し（ステップＳ２０３）、判定部１４に検出信号を出力する（ステップＳ２０４）。判定部１４は、検出信号と内部信号とを比較して第２の状態であることを判定し、第２の状態用の命令信号を生成する（ステップＳ２０５）。【００６７】  そして、判定部１４は、第２の状態用の命令信号として、警報発生部１６に警報を停止させる命令を出し、警報発生部１６は警報の停止を行う（ステップＳ２０６）。【００６８】  識別コード格納部１１は、判定部１４における第２の状態用の命令の生成とは独立して、例えば所定時間毎に、送受信部１３に識別コードを出力する（ステップＳ２０７）。また、判定部１４は、第２の状態用の命令信号として、送受信部１３に、無線通信ユニット２０への識別コード及び時刻情報の送信を停止させる命令を出し（ステップＳ２０８）、送受信部１３は、識別コード及び時刻情報の送信を停止する（ステップＳ２０９）。【００６９】  なお、判定部１４は、第２の状態用の命令信号として、識別コード格納部１１に識別コード出力停止命令を出して（図示せず）、識別コード格納部１１は、識別コードの出力を停止してもよい。【００７０】  これにより、無線通信ユニット２０の表示部２４には、第２の状態となってＣ地点より離れる前に最後に受信した時刻情報が更新されずに表示されるため、所有者１が置き忘れを気付き、またその位置を類推することができる。【００７１】  図５は、第１の実施形態に係る第３の状態における各部の動作を示すシーケンス図である。図５に示すように、無線通信ユニット２０の識別コード格納部２１は、所定時間毎に送受信部２２に識別コードを出力する（ステップＳ３０１）。送受信部２２は、携帯電話１０に識別コードを出力する（ステップＳ３０２）。【００７２】  携帯電話１０の送受信部１３は、受信した信号レベルに応じて、検出信号を生成し（ステップＳ３０３）、判定部１４に検出信号を出力する（ステップＳ３０４）。判定部１４は、検出信号と内部信号とを比較して第３の状態であることを判定し、第１の状態用の命令信号を生成する（ステップＳ３０５）。【００７３】  そして、判定部１４は、第３の状態用の命令信号として、計時部１２に、時刻情報を送受信部１３に出力させる命令を出す（ステップＳ３０６）。また、判定部１４は、第３の状態用の命令信号として、送受信部１３に、識別コード送信���開命令を出す（ステップＳ３０７）。【００７４】  なお、識別コード格納部１１に識別コードの出力停止命令が出された場合には、ステップＳ３０７の前、又はステップＳ３０７の代わりに、判定部１４は、第３の状態用の命令信号として、識別コード格納部１１に識別コード出力再開命令を出すステップ（図示せず）を行ってもよい。【００７５】  計時部１２は、時刻情報を送受信部１３に時刻情報を出力する（ステップＳ３０８）。識別コード格納部１１は、識別コードを出力する（ステップＳ３０９）。送受信部１３は、識別コードと時刻情報とを多重したデータを生成し（ステップＳ３１０）、無線通信ユニット２０に送信する（ステップＳ３１１）。【００７６】  無線通信ユニット２０の送受信部２２は、携帯電話１０から受信した信号をデータ分離部２３に出力する（ステップＳ３１２）。データ分離部２３は、受信した信号から時刻情報を抜き出し（ステップＳ３１３）、表示部２４に出力する（ステップＳ３１４）。【００７７】  このようにして、無線通信ユニット２０の表示部２４に表示される時刻が更新されるので、所有者１は無線通信ユニット２０に表示される時刻が更新されているのを見て、捜索している方角が間違ってないことを知ることができる。【００７８】  なお、第３の状態となる場合には、無線通信ユニット２０と携帯電話１０との間の通信リンクの復帰を行うこととなるが、その方法としては、以下の３つが挙げられる。（１）無線通信ユニット２０、携帯電話１０の双方から信号を出し合って、リンク復帰を行う。（２）まず、無線通信ユニット２０が信号を携帯電話１０に送出する。携帯電話１０が受信した信号レベルがある一定以上であれば、携帯電話１０から無線通信ユニット２０へ信号を送出しリンク復帰を行う。（３）まず、携帯電話１０が信号を無線通信ユニット２０に送出する。無線通信ユニット２０が受信した信号レベルがある一定以上であれば、無線通信ユニット２０から携帯電話１０へ信号を送出しリンク復帰を行う。以上の（１）、（３）を採用する場合、ステップＳ２０８及びＳ２０９（図４参照）では、判定部１４は、時刻情報の送信の停止のみで、識別コード送信停止の命令は行わない。【００７９】  図６は、第１の実施形態に係る第４の状態における各部の動作を示すシーケンス図である。図６に示すように、無線通信ユニット２０の識別コード格納部２１は、所定時間毎に送受信部２２に識別コードを出力する（ステップＳ４０１）。送受信部２２は、携帯電話１０に識別コードを出力する（ステップＳ４０２）。【００８０】  携帯電話１０の送受信部１３は、受信した信号レベルに応じて、検出信号を生成し（ステップＳ４０３）、判定部１４に検出信号を出力する（ステップＳ４０４）。判定部１４は、検出信号と内部信号とを比較して第４の状態であることを判定し、第４の状態用の命令信号を生成する（ステップＳ４０５）。【００８１】  そして、判定部１４は、第４の状態用の命令信号として、警報発生部１６に警報を再び発生させる命令を出し、警報発生部１６は警報の発生を行う（ステップＳ４０６）。また、計時部１２に、時刻情報を送受信部１３に出力させる命令を出す（ステップＳ４０７）。【００８２】  計時部１２は���時刻情報を送受信部１３に時刻情報を出力する（ステップＳ４０８）。識別コード格納部１１は、識別コードを出力する（ステップＳ４０９）。送受信部１３は、識別コードと時刻情報とを多重したデータを生成し（ステップ４１０）、無線通信ユニット２０に送信する（ステップ４１１）。【００８３】  無線通信ユニット２０の送受信部２２は、携帯電話１０から受信した信号をデータ分離部２３に出力する（ステップＳ４１２）。データ分離部２３は、受信した信号から時刻情報を抜き出し（ステップＳ４１３）、表示部２４に出力する（ステップＳ４１４）。【００８４】  このようにして、携帯電話１０の警報発生部１６が再び警報の発生を行うことにより、所有者１は、警報を頼りに、携帯電話１０を探し出すことができる。【００８５】  所有者１は、携帯電話１０を発見したら、操作部１７からパスワード等を入力することにより、警報の発生と機能のロックとを解除する。すなわち、操作部１７からの操作入力に基づいて、判定部１４は、無線認証制御部１５及び警報発生部１６の動作の解除を行う。【００８６】  なお、警報の発生と機能のロックとのいずれか少なくとも一方の解除は、判定部１４にて無線通信ユニット２０との距離が極めて近いと判定される場合に、判定部１４が自動的に行ってもよい。【００８７】  上述の例では、第１の状態（無線通信ユニットがＢ地点より遠くなったとき）において、警報の発生と機能のロックの両方を行っている場合について説明したが、警報の発生と機能のロックとは、異なる地点で行われてもよい。すなわち、携帯電話１０と無線通信ユニット２０との距離が、それぞれ異なる距離より遠くなったときに警報の発生と機能のロックとを行ってもよい。【００８８】  また、Ｃ地点が最大通信可能距離である必要はなく、Ｂ地点より遠い距離であればよい。この場合、携帯電話１０は、Ｃ地点より遠いという第２の状態の判定を行うことにより、時刻情報の送信を停止するので、無線通信ユニット２０の表示部２４に表示される時刻は更新されない。更に、この場合、携帯電話１０における時刻情報の送信の停止と、警報の停止は、異なる地点で行ってもよい。【００８９】  なお、Ｃ地点が最大通信可能距離であれば、Ｓ２０８、Ｓ２０９の処理を行わず、識別コード及び時刻情報を送信し続けてもよい。これにより時刻情報を送信したとしても、無線通信ユニット２０では、時刻情報を受信しないので、表示部２４に表示される時刻は更新されない。【００９０】  更に、警報の再発生の基準となる距離は、Ｂ地点以内になった場合（第４の状態）になったときに行われる場合を説明したが、無線通信ユニット２０に表示される時刻の更新がされる距離以内であれば任意の距離でよい。【００９１】  このような第１の実施形態によれば、携帯端末装置が置き忘れられた場合に、その携帯端末装置の捜索を支援することができる。【００９２】  （第２の実施形態）
図７は、本発明の第２の実施形態に係るシステムの概要を示す説明図である。同図において、第１の実施形態で説明した図２と重複する部分には同一の符号を付して説明を省略する。【００９３】  図７に示すように、本実施形態の携帯電話３０は、現在位置情報を検出する位置検出部３１を備える。位置検出部３１は、例えば、ＧＰＳ衛星５０からの信号に基づいてＧＰＳ用アンテナＡ３を介して現在位置を測位し、その結果に基づいて位置情報を生成する。そして、判定部３４の命令信号に基づいて送受信部３３に位置情報を出力する。【００９４】  判定部３４は、第１の実施形態にて説明した携帯電話１０と無線通信ユニット２０との関係の状態に基づいて、命令信号を生成する。例えば、計時部１２から時刻情報を送受信部３３に出力させるタイミングと同時に、位置検出部３１に対して、送受信部３３へ位置情報を出力する命令を行う。【００９５】  送受信部３３は、識別コード格納部１１から入力された識別コードと、計時部１２から入力された時刻情報と、位置検出部３１から入力された位置情報とを１つのデータに多重し、無線通信ユニット４０へ出力する。【００９６】  また、無線通信ユニット４０は、携帯電話３０から受信した位置情報に基づいて地図情報を作成する地図作成部４１を備える。データ分離部４３は、送受信部２２から入力された識別コード、時刻情報及び位置情報の信号を分離し、時刻情報を表示部２４に、位置情報を地図作成部４１に出力する。なお、地図作成部４１を携帯電話３０側に持たせても良い。その場合は、上記位置情報の代わりに地図情報を携帯電話３０から無線通信ユニット４０に送信することになる。【００９７】  表示部４４は、データ分離部２３から送られてきた時刻情報と、地図作成部４１から送られてきた地図情報を画面に表示する。【００９８】  このような本発明の第２の実施形態によれば、最後に通信を行った時刻情報のほか、位置情報も用いることができるので、更に容易に携帯電話の捜索を行うことができる。【００９９】  本発明を詳細にまた特定の実施態様を参照して説明したが、本発明の精神と範囲を逸脱することなく様々な変更や修正を加えることができることは当業者にとって明らかである。【０１００】  本出願は、２００５年４月２７日出願の日本特許出願（特願２００５−１３０２０３）に基づくものであり、その内容はここに参照として取り込まれる。
【産業上の利用可能性】
【０１０１】  本発明の携帯端末装置及び無線通信ユニット並びに携帯端末装置の置き忘れ検出システムは、携帯端末装置が置き忘れられた場合に、その携帯端末装置の捜索を支援する効果を有し、携帯電話の捜索支援等に有用である。
【図１】
2006117908.tif 000002
【図２】
2006117908.tif 000003
【図３】
2006117908.tif 000004
【図４】
2006117908.tif 000005
【図５】
2006117908.tif 000006
【図６】
2006117908.tif 000007
【図７】
2006117908.tif 000008
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
携帯端末装置と、携帯型の無線通信ユニットとの間で無線通信を行って、前記携帯端末装置の置き忘れを検出可能なシステムの携帯端末装置であって、
携帯型の無線通信ユニットと近距離無線通信を行う近距離無線通信部と、
前記無線通信ユニットから送信される識別コードを含む信号に基づいて、前記無線通信ユニットとの距離を判定する距離判定部と、
前記距離判定部により、前記無線通信ユニットとの距離が、第一の距離より大きいと判定されたときに、指定された機能の使用を制限する機能制限部と、を備え、
前記近距離無線通信部は、前記無線通信ユニットに、自端末装置の識別情報及び時刻情報を送信する携帯端末装置。
【請求項２】
請求項１に記載の携帯端末装置であって、
前記距離判定部により、前記無線通信ユニットとの距離が、第二の距離より大きいと判定された場合に、警報を発生する警報部を更に備える携帯端末装置。
【請求項３】
請求項２に記載の携帯端末装置であって、
前記警報部は、前記距離判定部により、前記無線通信ユニットとの距離が、前記第二の距離より長い第三の距離より大きいと判定された場合に、前記警報を停止する携帯端末装置。
【請求項４】
請求項３に記載の携帯端末装置であって、
前記警報部は、前記距離判定部により、前記無線通信ユニットとの距離が、前記第三の距離以下である第四の距離より小さいと判定された場合に警報を発生する携帯端末装置。
【請求項５】
請求項１ないし４のいずれか一項に記載の携帯端末装置であって、
自端末装置の位置情報を取得する位置取得部を更に備え、
前記近距離無線装置は、前記識別情報及び前記時刻情報に加え、前記位置情報を送信する携帯端末装置。
【請求項６】
携帯端末装置と、携帯型の無線通信ユニットとの間で無線通信を行って、前記携帯端末装置の置き忘れを検出可能なシステムの無線通信ユニットであって、
前記携帯端末装置と近距離無線通信を行い、前記携帯端末装置の識別情報及び時刻情報を受信する近距離無線通信部と、
前記受信した時刻情報を抽出する抽出部と、
前記抽出された時刻情報を表示する表示部と、を備え、
前記表示部は、電源が供給され続けなくても表示した情報を保持することが可能な表示部を有する無線通信ユニット。
【請求項７】
請求項６に記載の無線通信ユニットであって、
前記抽出部は、前記近距離無線通信部が前記携帯端末装置の位置情報を受信した場合に、前記位置情報を抽出し、
前記表示部は、前記位置情報を表示する無線通信ユニット。
【請求項８】
携帯端末装置と、携帯型の無線通信ユニットとの間で無線通信を行って、前記携帯端末装置の置き忘れを検出可能なシステムであって、
前記携帯端末装置は、携帯型の無線通信ユニットと近距離無線通信を行う近距離無線通信部と、前記無線通信ユニットから送信される識別コードを含む信号に基づいて、前記無線通信ユニットとの距離を判定する距離判定部と、前記距離判定部により、前記無線通信ユニットとの距離が、第一の距離より大きいと判定されたときに、指定された機能の使用を制限する機能制限部と、を備え、前記近距離無線通信部は、前記無線通信ユニットに、自端末装置の識別情報及び時刻情報を送信し、
前記無線通信ユニットは、前記携帯端末装置と近距離無線通信を行い、前記携帯端末装置の識別情報及び時刻情報を受信する近距離無線通信部と、前記受信した時刻情報を抽出する抽出部と、前記抽出された時刻情報を表示する表示部と、を備えるシステム。
【手続補正２】
【補正対象書類名】明細書
【補正対象項目名】全文
【補正方法】変更
【補正の内容】
【発明の詳細な説明】
【技術分野】
【０００１】
本発明は、携帯端末装置と、携帯型の無線通信ユニットとの間で無線通信を行って、前記携帯端末装置の置き忘れを検出可能なシステムに関する。
【背景技術】
【０００２】
携帯電話等の携帯端末は、常に持ち歩くことが多いので置き忘れる等から紛失につながる可能性があるものの、近年の高機能化により、個人情報、電子通貨の点から紛失した場合のリスクが大きい。
【０００３】
従来、携帯電話機などの各種機器が置き忘れや盗難などにより無断使用されるのを防止することを目的として、携帯電話機の通話機能を携帯電話機が所有者から一定距離以上離れると制限するような受信器を携帯電話機に組み込み、この受信器へ無線信号を発信する発信器を有するカードを所有者が常に胸のポケットなどに入れるようにして、置き忘れや盗難で所有者から携帯電話機が一定距離以上離れると上記発信器からの信号が弱くなり自動的に携帯電話機の内部動作を制限する、機器の使用制限装置があった（例えば、特許文献１参照）。
【０００４】
また、ブルートゥース（登録商標、以下同じ）機能を有する携帯電話との間で無線接続を確立するブルートゥースモジュール部と、携帯電話との接続が一定時間継続している場合に携帯電話の置き忘れと判定し、予め設定された通信先に機器ＩＤ及び現在位置情報の少なくとも１つを携帯電話を介して送信させるマイコンを備える携帯電話の置き忘れ検知装置があった（例えば、特許文献２参照）。
【特許文献１】特開平１１−８８４９９号公報
【特許文献２】特開２００３−３４８６５９号公報
【発明の開示】
【発明が解決しようとする課題】
【０００５】
しかしながら、特許文献１に記載された機器の使用制限装置にあっては、携帯端末を置き忘れた場合、その置き忘れに気付いてから、その場所を特定することができないといった事情があった。また、特許文献２に記載されたような携帯電話の置き忘れ検知装置にあっては、置き忘れ検知用の機器を設置する必要があり、置き忘れの検知可能な領域が限られてしまうといった事情があった。
【０００６】
本発明は、上記従来の事情に鑑みてなされたものであって、携帯端末装置が置き忘れられた場合に、その携帯端末装置の捜索を支援する携帯端末装置及び無線通信ユニット並びに携帯端末装置の置き忘れ検出システムを提供することを目的とする。
【課題を解決するための手段】
【０００７】
本発明の携帯端末装置は、携帯端末装置と、携帯型の無線通信ユニットとの間で無線通信を行って、前記携帯端末装置の置き忘れを検出可能なシステムの携帯端末装置であって、携帯型の無線通信ユニットと近距離無線通信を行う近距離無線通信部を備え、前記近距離無線通信部は、前記無線通信ユニットに、自端末装置の識別情報及び時刻情報を送信する。
【０００８】
この構成により、無線通信ユニットを所持する携帯端末装置の所有者は、携帯端末装置から通信可能距離以上離れたときの時刻から置き忘れた場所を容易に類推することができるので、携帯端末装置が置き忘れられた場合に、その携帯端末装置の捜索を支援することが可能となる。
【０００９】
また、本発明の携帯端末装置は、前記無線通信ユニットから送信される識別コードに基づいて、前記無線通信ユニットとの距離を判定する距離判定部と、前記距離判定部により、前記無線通信ユニットとの距離が、第一の距離より大きいと判定されたときに、指定された機能の使用を制限する機能制限部とを更に備える。
【００１０】
この構成により、無線通信ユニットから離れることにより所有者以外の人物に携帯端末装置が無断使用されるのを防止することができる。
【００１１】
また、本発明の携帯端末装置は、前記距離判定部により、前記無線通信ユニットとの距離が、第二の距離より大きいと判定された場合に、警報を発生する警報部を更に備える。
【００１２】
この構成により、無線端末装置から離れたことを所有者が認識することができる。
【００１３】
また、本発明の携帯端末装置において、前記警報部は、前記距離判定部により、前記無線通信ユニットとの距離が、前記第二の距離より長い第三の距離より大きいと判定された場合に、前記警報を停止する。
【００１４】
この構成により、所有者が警報を気付かず、更に携帯端末装置から離れてしまった場合に、警報が発生しつづけることを防止することが出来る。
【００１５】
また、本発明の携帯端末装置において、前記警報部は、前記距離判定部により、前記無線通信ユニットとの距離が、前記第三の距離以下である第四の距離より小さいと判定された場合に警報を発生する。
【００１６】
この構成により、所有者が再び携帯端末装置に近付いた場合に、そのことを認識させることができる。
【００１７】
また、本発明の携帯端末装置は、自端末装置の位置情報を取得する位置取得部を更に備え、前記近距離無線装置は、前記識別情報及び前記時刻情報に加え、前記位置情報を送信する。
【００１８】
この構成により、位置情報を用いた携帯端末装置の捜索を支援することが可能となる。
【００１９】
本発明の無線通信ユニットは、携帯端末装置と、携帯型の無線通信ユニットとの間で無線通信を行って、前記携帯端末装置の置き忘れを検出可能なシステムの無線通信ユニットであって、前記携帯端末装置と近距離無線通信を行い、前記携帯端末装置の識別情報及び時刻情報を受信する近距離無線通信部と、前記受信した時刻情報を抽出する抽出部と、前記抽出された時刻情報を表示する表示部とを備える。
【００２０】
この構成により、無線通信ユニットを所持する携帯端末装置の所有者は、携帯端末装置から通信可能距離以上離れたときの時刻から置き忘れた場所を容易に類推することができるので、携帯端末装置が置き忘れられた場合に、その携帯端末装置の捜索を支援することが可能となる。
【００２１】
また、本発明の無線通信ユニットにおいて、前記抽出部は、前記近距離無線通信部が前記携帯端末装置の位置情報を受信した場合に、前記位置情報を抽出し、前記表示部は前記位置情報を表示する。
【００２２】
この構成により、位置情報を用いた携帯端末装置の捜索を支援することが可能となる。
【００２３】
また、本発明の無線通信ユニットは、前記表示部は、電源が供給され続けなくても表示した情報を保持することが可能な表示部を有する。
【００２４】
この構成により、時刻等を表示するための電力の消費を防止することが出来る。
【００２５】
携帯端末装置と、携帯型の無線通信ユニットとの間で無線通信を行って、前記携帯端末装置の置き忘れを検出可能なシステムであって、前記携帯端末装置は、携帯型の無線通信ユニットと近距離無線通信を行う近距離無線通信部を備え、前記近距離無線通信部は、前記無線通信ユニットに、自端末装置の識別情報及び時刻情報を送信し、前記無線通信ユニットは、前記携帯端末装置と近距離無線通信を行い、前記携帯端末装置の識別情報及び時刻情報を受信する近距離無線通信部と、前記受信した時刻情報を抽出する抽出部と、前記抽出された時刻情報を表示する表示部とを備える。
【００２６】
このシステムにより、無線通信ユニットを所持する携帯端末装置の所有者は、携帯端末装置から通信可能距離以上離れたときの時刻から置き忘れた場所を容易に類推することができるので、携帯端末装置が置き忘れられた場合に、その携帯端末装置の捜索を支援することが可能となる。
【発明の効果】
【００２７】
本発明によれば、携帯端末装置が置き忘れられた場合に、その携帯端末装置の捜索を支援する携帯端末装置及び無線通信ユニット並びに携帯端末装置の置き忘れ検出システムを提供することができる。
【発明を実施するための最良の形態】
【００２８】
（第１の実施形態）
図１は、本発明の第１の実施形態に係るシステムの概要を示す説明図である。図１に示すように、第１の実施形態のシステムは、携帯端末装置の一例である携帯電話１０と、所有者１により所持される携帯型の無線通信ユニットの一例である無線通信ユニット２０との間で無線通信を行って、携帯電話１０の置き忘れを検出可能なシステムである。
【００２９】
ここで、本実施形態では、携帯電話１０が置き忘れられた場合の携帯電話１０と無線通信ユニット２０との関係として、図１（Ａ）ないし（Ｄ）に示す４つの状態について説明する。なお、図１において、Ａ地点は携帯電話１０が置かれている位置、Ｂ地点は携帯電話１０から所定距離だけ離れた位置、Ｃ地点は携帯電話１０と無線通信ユニット２０との最大通信可能距離だけ離れた地点とする。
【００３０】
本実施形態の携帯電話１０は、無線通信ユニット２０に所定時間毎に現在時刻情報を送信し、無線通信ユニット２０は受信した時刻を表示する機能を有する。
【００３１】
図１（Ａ）は、Ａ地点に携帯電話１０が置かれたまま、所有者１が携帯する無線通信ユニット２０が、Ａ−Ｂ地点間からＢ地点より離れた位置に移動した状態（以下、第１の状態という）を示す図である。このとき、携帯電話１０は、無線通信ユニットとの無線通信により、Ｂ地点より離れたことを判定すると、警報を発生して所有者１に報知する。また、携帯電話１０は、他人に悪用されないよう、機能の使用を制限する。
【００３２】
図１（Ｂ）は、Ａ地点に携帯電話１０が置かれたまま、所有者１が携帯する無線通信ユニット２０が、Ｂ−Ｃ地点間からＣ地点より離れた位置に移動した状態（以下、第２の状態という）を示す図である。
【００３３】
第１の状態において携帯電話１０が警報を発生したとしても、所有者が気づかず、更に携帯電話１０から離れ、第２の状態となる場合もある。そのとき、Ｃ地点より離れることにより、無線通信ユニット２０との通信が切断されるので、携帯電話１０からの時刻情報が受信できなくなる。すなわち、無線通信ユニット２０の表示部２４（図２参照）に表示される時刻が更新されなくなる。したがって、所有者１はＣ地点より離れてしまった時刻、すなわち携帯電話１０を置き忘れた時刻を把握することができる。そして、所有者は、無線通信ユニット２０に表示された時刻と現在時刻との差等から、自分が移動してきたルートを考えることにより、携帯電話１０の位置を類推することができ、その位置に基づいて捜索することができる。
【００３４】
なお、第２の状態になった場合に、携帯電話１０は警報の発生を停止する。これにより、使用者が離れてしまった状態にあるときに、警報が発生し続けることを回避することができる。
【００３５】
図１（Ｃ）は、Ａ地点に携帯電話１０が置かれたまま、所有者１が携帯する無線通信ユニット２０が、Ｃ地点外からＢ−Ｃ地点間に移動した状態（以下、第３の状態という）を示す図である。
【００３６】
所有者１は、以前通ったルートを後戻りするうちにＢ−Ｃ地点の範囲に入る。この第３の状態では、携帯電話１０と無線通信ユニット２０との間の通信が復活するので、無線通信ユニット２０に表示される時刻が更新される。これにより、所有者１は無線通信ユニット２０に表示される時刻が更新されているのを見て、捜索している方角が間違ってないことを知ることができる。
【００３７】
図１（Ｄ）は、Ａ地点に携帯電話１０が置かれたまま、所有者１が携帯する無線通信ユニット２０が、Ｂ−Ｃ地点間からＡ−Ｂ地点間に移動した状態（以下、第４の状態という）を示す図である。
【００３８】
所有者１は、更に捜索を進めるうちにＡ−Ｂ地点の範囲に入る。この第４の状態になると、携帯電話１０は警報を発生する。これにより、所有者１は、警報を頼りに、携帯電話１０を探し出すことができる。このようにして、無線通信ユニット２０を利用することにより、所有者１は、携帯電話１０を置き忘れた場合においても、容易に探し出すことができる。
【００３９】
図２は、第１の実施形態に係るシステムの概略構成を示すブロック図である。図２に示すように、携帯電話１０は、無線認証部１０ａと携帯電話機能部１０ｂとを有して構成されている。
【００４０】
無線認証部１０ａは、識別コード格納部１１と、計時部１２と、送受信部１３と、判定部１４と、無線認証制御部１５と、警報発生部１６と、無線認証用アンテナＡ１ａとを備える。
【００４１】
また、携帯電話機能部１０ｂは、操作部１７と、携帯電話機能制御部１８と、送受信部１９と、携帯電話用アンテナＡ１ｂとを備える。
【００４２】
携帯電話１０は、携帯電話基地局６０との通信を、携帯電話用アンテナＡ１ｂを介して行う。携帯電話機能部１０ｂの送受信部１９は携帯電話用アンテナＡ１ｂから受信した信号を携帯電話機能制御部１８へ送るとともに、携帯電話機能制御部１８からの信号を携帯電話用アンテナＡ１ｂへと送るものである。携帯電話機能制御部１８は、携帯電話１０における通話やインターネットやゲームといった携帯電話本来の機能を制御するものである。
【００４３】
識別コード格納部１１は、無線通信ユニット２０と通信するための識別コードを格納し、送受信部１３に出力する。計時部１２は、現在時刻を計時し、また、判定部１４からの命令信号により、現在時刻情報を送受信部１３に出力する。なお、計時部１２は、携帯電話基地局６０などを介して外部から現在時刻を取得してもよい。
【００４４】
送受信部１３は、識別コード格納部１１から入力された識別コードと、計時部１２から入力された時刻情報を１つのデータに多重し、無線通信ユニット２０へ無線認証部用のアンテナＡ１ａにより出力する。また、無線通信ユニット２０から送られてきた識別コードを無線認証部用のアンテナＡ１ａにより受信し、受信レベルに応じた検出信号を生成し、検出信号を判定部１４に出力する。なお、受信レベルの代わりに、受信した信号のビット誤り率やパケット誤り率やＲＳＳＩ（Received Signal Strength Indicator）を用いてもよい。更に、判定部１４からの命令信号により、無線通信ユニット２０への識別コード及び時刻情報の送信の停止・開始が制御される。なお、無線通信ユニット２０との通信方式としては、近距離無線通信方式等が用いられる。
【００４５】
判定部１４は、送受信部１３から送られてきた検出信号に基づいて距離を判定し、判定部１４の内部に持っている内部信号とを比較する。その結果から導かれた命令信号を、計時部１２、送受信部１３、無線認証制御部１５、警報発生部１６にそれぞれ出力する。
【００４６】
ここで内部信号とは、無線通信ユニット２０との距離に対応して判定部１４に予め格納された、送受信部１３によって検出される検出信号の数値である。例えば、判定部１４は、無線通信ユニット２０との距離が、図１中のＡ−Ｂ点間距離、Ａ−Ｃ点間距離、Ａ−Ｄ点間距離におけるそれぞれの検出信号を内部信号として予め格納しておき、内部信号と、実際の検出信号の数値とを比較して携帯電話と無線通信ユニット間がどの程度の距離であるか判断し、その状況に応じた命令信号を各部に送出する。
【００４７】
無線認証制御部１５は、判定部１４からの命令信号により、無線認証が成功しているかどうかを示す制御信号を携帯電話制御部１８に送る。携帯電話機能制御部１８は無線認証制御部１５からの制御信号により、携帯電話１０をロック状態にしたり、又はロック状態の解除を行う。ロック状態の例としては、予め指定された機能の使用を制限するだけでもよいし、全ての機能の使用を制限してもよい。また、無線通信ユニット２０が所定の距離より離れた状態であれば一切の機能を停止し、所定の距離以内であればパスワード等の入力の受付のみを許可する等、無線通信ユニット２０との距離に応じて制限する機能を選択してもよい。
【００４８】
警報発生部１６は、判定部１４からの命令信号により、携帯電話１０の警報発出、また、発出している警報の停止を行う。この警報は、警報音の出力や発光素子、バイブレータによる振動等のいずれか少なくとも一つを用いた報知方法等、種々の報知方法により行われる。
【００４９】
操作部１７は、テンキー等を有して携帯電話１０の操作入力を受け付けるものであり、テンキーなどを利用して入力された操作情報を、判定部１４に対して出力する。
【００５０】
無線通信ユニット２０は、識別コード格納部２１と、送受信部２２と、データ分離部２３と、表示部２４と、判定部２５と、警報発生部２６と、無線通信ユニット用アンテナＡ２とを有する。また、無線通信ユニット２０は、所有者１により身に着けたり、携帯されやすい形状であることが好ましく、例えば、小型でいわゆるカード型の形状を有する。
【００５１】
識別コード格納部２１は、携帯電話１０と通信するための識別コードを格納し、送受信部２２に出力する。
送受信部２２は、識別コード格納部２１から入力された識別コードを携帯電話１０に送信する。また、携帯電話１０から送信されてきた識別コード及び時刻情報の信号を、無線通信ユニット用アンテナＡ２を介して受信し、データ分離部２３へ出力する。さらに、受信した信号の受信レベルに応じた検出信号を生成し、検出信号を判定部２５に出力する。なお、受信レベルの代わりに、受信した信号のビット誤り率やパケット誤り率やＲＳＳＩ（Received Signal Strength Indicator）を用いてもよい。
【００５２】
データ分離部２３は、送受信部２２から入力された識別コード及び時刻情報を分離し、時刻情報だけを表示部２４に出力する。
【００５３】
表示部２４は、データ分離部２３から送られてきた時刻情報を画面に表示する。なお、この表示部２４は、例えば、コレステリック液晶等の表示情報の更新のみに電源が必要で、電源が供給され続けなくても表示した情報を保持することが可能な表示装置であることが好ましい。これにより、時刻表示に関連した電力の消費を抑えることができる。また、視認性を考慮すると、カラー表示可能で、更に、無線通信ユニット２０の携帯性を考慮すると、薄型であることが好ましい。
【００５４】
判定部２５は、送受信部２２から送られてきた検出信号に基づいて距離を判定し、判定部２５の内部に持っている内部信号とを比較する。その結果から導かれた命令信号を、警報発生部２６に出力する。
【００５５】
警報発生部２６は、判定部２５からの命令信号により、無線通信ユニット２０の警報発出、また、発出している警報の停止を行う。この警報は、警報音の出力や発光素子、バイブレータによる振動等のいずれか少なくとも一つを用いた報知方法等、種々の報知方法により行われる。
【００５６】
このようなシステムの動作について、図３〜図６を用いて説明する。図３は、第１の実施形態に係る第１の状態における各部の動作を示すシーケンス図である。
【００５７】
図３に示すように、無線通信ユニット２０の識別コード格納部２１は、所定時間毎に送受信部２２に識別コードを出力する（ステップＳ１０１）。送受信部２２は、携帯電話１０に識別コードを出力する（ステップＳ１０２）。
【００５８】
携帯電話１０の送受信部１３は、受信した信号レベルに応じて、検出信号を生成し（ステップＳ１０３）、判定部１４に検出信号を出力する（ステップＳ１０４）。判定部１４は、検出信号と内部信号とを比較して第１の状態であることを判定し、第１の状態用の命令信号を生成する（ステップＳ１０５）。
【００５９】
そして、判定部１４は、第１の状態用の命令信号として、無線認証制御部１５に機能をロックさせる命令を出し、無線認証制御部１５は機能のロックを行う（ステップＳ１０６）。また、警報発生部１６に警報を発生させる命令を出し、警報発生部１６は警報の発生を行う（ステップＳ１０７）。更に、計時部１２に、時刻情報を送受信部１３に出力させる命令を出す（ステップＳ１０８）。
【００６０】
計時部１２は、時刻情報を送受信部１３に時刻情報を出力する（ステップＳ１０９）。識別コード格納部１１は、識別コードを出力する（ステップＳ１１０）。送受信部１３は、識別コードと時刻情報とを多重したデータを生成し（ステップ１１１）、無線通信ユニット２０に送信する（ステップ１１２）。
【００６１】
無線通信ユニット２０の送受信部２２は、携帯電話１０から受信した信号をデータ分離部２３に出力する（ステップＳ１１３）。データ分離部２３は、受信した信号から時刻情報を抜き出し（ステップＳ１１４）、表示部２４に出力する（ステップＳ１１５）。
【００６２】
図４は、第１の実施形態に係る第２の状態における各部の動作を示すシーケンス図である。図４に示すように、無線通信ユニット２０の識別コード格納部２１は、所定時間毎に送受信部２２に識別コードを出力する（ステップＳ２０１）。送受信部２２は、携帯電話１０に識別コードを出力する（ステップＳ２０２）。
【００６３】
携帯電話１０の送受信部１３は、受信した信号レベルに応じて、検出信号を生成し（ステップＳ２０３）、判定部１４に検出信号を出力する（ステップＳ２０４）。判定部１４は、検出信号と内部信号とを比較して第２の状態であることを判定し、第２の状態用の命令信号を生成する（ステップＳ２０５）。
【００６４】
そして、判定部１４は、第２の状態用の命令信号として、警報発生部１６に警報を停止させる命令を出し、警報発生部１６は警報の停止を行う（ステップＳ２０６）。
【００６５】
識別コード格納部１１は、判定部１４における第２の状態用の命令の生成とは独立して、例えば所定時間毎に、送受信部１３に識別コードを出力する（ステップＳ２０７）。また、判定部１４は、第２の状態用の命令信号として、送受信部１３に、無線通信ユニット２０への識別コード及び時刻情報の送信を停止させる命令を出し（ステップＳ２０８）、送受信部１３は、識別コード及び時刻情報の送信を停止する（ステップＳ２０９）。
【００６６】
なお、判定部１４は、第２の状態用の命令信号として、識別コード格納部１１に識別コード出力停止命令を出して（図示せず）、識別コード格納部１１は、識別コードの出力を停止してもよい。
【００６７】
これにより、無線通信ユニット２０の表示部２４には、第２の状態となってＣ地点より離れる前に最後に受信した時刻情報が更新されずに表示されるため、所有者１が置き忘れを気付き、またその位置を類推することができる。
【００６８】
図５は、第１の実施形態に係る第３の状態における各部の動作を示すシーケンス図である。図５に示すように、無線通信ユニット２０の識別コード格納部２１は、所定時間毎に送受信部２２に識別コードを出力する（ステップＳ３０１）。送受信部２２は、携帯電話１０に識別コードを出力する（ステップＳ３０２）。
【００６９】
携帯電話１０の送受信部１３は、受信した信号レベルに応じて、検出信号を生成し（ステップＳ３０３）、判定部１４に検出信号を出力する（ステップＳ３０４）。判定部１４は、検出信号と内部信号とを比較して第３の状態であることを判定し、第１の状態用の命令信号を生成する（ステップＳ３０５）。
【００７０】
そして、判定部１４は、第３の状態用の命令信号として、計時部１２に、時刻情報を送受信部１３に出力させる命令を出す（ステップＳ３０６）。また、判定部１４は、第３の状態用の命令信号として、送受信部１３に、識別コード送信再開命令を出す（ステップＳ３０７）。
【００７１】
なお、識別コード格納部１１に識別コードの出力停止命令が出された場合には、ステップＳ３０７の前、又はステップＳ３０７の代わりに、判定部１４は、第３の状態用の命令信号として、識別コード格納部１１に識別コード出力再開命令を出すステップ（図示せず）を行ってもよい。
【００７２】
計時部１２は、時刻情報を送受信部１３に時刻情報を出力する（ステップＳ３０８）。識別コード格納部１１は、識別コードを出力する（ステップＳ３０９）。送受信部１３は、識別コードと時刻情報とを多重したデータを生成し（ステップＳ３１０）、無線通信ユニット２０に送信する（ステップＳ３１１）。
【００７３】
無線通信ユニット２０の送受信部２２は、携帯電話１０から受信した信号をデータ分離部２３に出力する（ステップＳ３１２）。データ分離部２３は、受信した信号から時刻情報を抜き出し（ステップＳ３１３）、表示部２４に出力する（ステップＳ３１４）。
【００７４】
このようにして、無線通信ユニット２０の表示部２４に表示される時刻が更新されるので、所有者１は無線通信ユニット２０に表示される時刻が更新されているのを見て、捜索している方角が間違ってないことを知ることができる。
【００７５】
なお、第３の状態となる場合には、無線通信ユニット２０と携帯電話１０との間の通信リンクの復帰を行うこととなるが、その方法としては、以下の３つが挙げられる。（１）無線通信ユニット２０、携帯電話１０の双方から信号を出し合って、リンク復帰を行う。（２）まず、無線通信ユニット２０が信号を携帯電話１０に送出する。携帯電話１０が受信した信号レベルがある一定以上であれば、携帯電話１０から無線通信ユニット２０へ信号を送出しリンク復帰を行う。（３）まず、携帯電話１０が信号を無線通信ユニット２０に送出する。無線通信ユニット２０が受信した信号レベルがある一定以上であれば、無線通信ユニット２０から携帯電話１０へ信号を送出しリンク復帰を行う。以上の（１）、（３）を採用する場合、ステップＳ２０８及びＳ２０９（図４参照）では、判定部１４は、時刻情報の送信の停止のみで、識別コード送信停止の命令は行わない。
【００７６】
図６は、第１の実施形態に係る第４の状態における各部の動作を示すシーケンス図である。図６に示すように、無線通信ユニット２０の識別コード格納部２１は、所定時間毎に送受信部２２に識別コードを出力する（ステップＳ４０１）。送受信部２２は、携帯電話１０に識別コードを出力する（ステップＳ４０２）。
【００７７】
携帯電話１０の送受信部１３は、受信した信号レベルに応じて、検出信号を生成し（ステップＳ４０３）、判定部１４に検出信号を出力する（ステップＳ４０４）。判定部１４は、検出信号と内部信号とを比較して第４の状態であることを判定し、第４の状態用の命令信号を生成する（ステップＳ４０５）。
【００７８】
そして、判定部１４は、第４の状態用の命令信号として、警報発生部１６に警報を再び発生させる命令を出し、警報発生部１６は警報の発生を行う（ステップＳ４０６）。また、計時部１２に、時刻情報を送受信部１３に出力させる命令を出す（ステップＳ４０７）。
【００７９】
計時部１２は、時刻情報を送受信部１３に時刻情報を出力する（ステップＳ４０８）。識別コード格納部１１は、識別コードを出力する（ステップＳ４０９）。送受信部１３は、識別コードと時刻情報とを多重したデータを生成し（ステップ４１０）、無線通信ユニット２０に送信する（ステップ４１１）。
【００８０】
無線通信ユニット２０の送受信部２２は、携帯電話１０から受信した信号をデータ分離部２３に出力する（ステップＳ４１２）。データ分離部２３は、受信した信号から時刻情報を抜き出し（ステップＳ４１３）、表示部２４に出力する（ステップＳ４１４）。
【００８１】
このようにして、携帯電話１０の警報発生部１６が再び警報の発生を行うことにより、所有者１は、警報を頼りに、携帯電話１０を探し出すことができる。
【００８２】
所有者１は、携帯電話１０を発見したら、操作部１７からパスワード等を入力することにより、警報の発生と機能のロックとを解除する。すなわち、操作部１７からの操作入力に基づいて、判定部１４は、無線認証制御部１５及び警報発生部１６の動作の解除を行う。
【００８３】
なお、警報の発生と機能のロックとのいずれか少なくとも一方の解除は、判定部１４にて無線通信ユニット２０との距離が極めて近いと判定される場合に、判定部１４が自動的に行ってもよい。
【００８４】
上述の例では、第１の状態（無線通信ユニットがＢ地点より遠くなったとき）において、警報の発生と機能のロックの両方を行っている場合について説明したが、警報の発生と機能のロックとは、異なる地点で行われてもよい。すなわち、携帯電話１０と無線通信ユニット２０との距離が、それぞれ異なる距離より遠くなったときに警報の発生と機能のロックとを行ってもよい。
【００８５】
また、Ｃ地点が最大通信可能距離である必要はなく、Ｂ地点より遠い距離であればよい。この場合、携帯電話１０は、Ｃ地点より遠いという第２の状態の判定を行うことにより、時刻情報の送信を停止するので、無線通信ユニット２０の表示部２４に表示される時刻は更新されない。更に、この場合、携帯電話１０における時刻情報の送信の停止と、警報の停止は、異なる地点で行ってもよい。
【００８６】
なお、Ｃ地点が最大通信可能距離であれば、Ｓ２０８、Ｓ２０９の処理を行わず、識別コード及び時刻情報を送信し続けてもよい。これにより時刻情報を送信したとしても、無線通信ユニット２０では、時刻情報を受信しないので、表示部２４に表示される時刻は更新されない。
【００８７】
更に、警報の再発生の基準となる距離は、Ｂ地点以内になった場合（第４の状態）になったときに行われる場合を説明したが、無線通信ユニット２０に表示される時刻の更新がされる距離以内であれば任意の距離でよい。
【００８８】
このような第１の実施形態によれば、携帯端末装置が置き忘れられた場合に、その携帯端末装置の捜索を支援することができる。
【００８９】
（第２の実施形態）
図７は、本発明の第２の実施形態に係るシステムの概要を示す説明図である。同図において、第１の実施形態で説明した図２と重複する部分には同一の符号を付して説明を省略する。
【００９０】
図７に示すように、本実施形態の携帯電話３０は、現在位置情報を検出する位置検出部３１を備える。位置検出部３１は、例えば、ＧＰＳ衛星５０からの信号に基づいてＧＰＳ用アンテナＡ３を介して現在位置を測位し、その結果に基づいて位置情報を生成する。そして、判定部３４の命令信号に基づいて送受信部３３に位置情報を出力する。
【００９１】
判定部３４は、第１の実施形態にて説明した携帯電話１０と無線通信ユニット２０との関係の状態に基づいて、命令信号を生成する。例えば、計時部１２から時刻情報を送受信部３３に出力させるタイミングと同時に、位置検出部３１に対して、送受信部３３へ位置情報を出力する命令を行う。
【００９２】
送受信部３３は、識別コード格納部１１から入力された識別コードと、計時部１２から入力された時刻情報と、位置検出部３１から入力された位置情報とを１つのデータに多重し、無線通信ユニット４０へ出力する。
【００９３】
また、無線通信ユニット４０は、携帯電話３０から受信した位置情報に基づいて地図情報を作成する地図作成部４１を備える。データ分離部４３は、送受信部２２から入力された識別コード、時刻情報及び位置情報の信号を分離し、時刻情報を表示部２４に、位置情報を地図作成部４１に出力する。なお、地図作成部４１を携帯電話３０側に持たせても良い。その場合は、上記位置情報の代わりに地図情報を携帯電話３０から無線通信ユニット４０に送信することになる。
【００９４】
表示部４４は、データ分離部２３から送られてきた時刻情報と、地図作成部４１から送られてきた地図情報を画面に表示する。
【００９５】
このような本発明の第２の実施形態によれば、最後に通信を行った時刻情報のほか、位置情報も用いることができるので、更に容易に携帯電話の捜索を行うことができる。
【００９６】
本発明を詳細にまた特定の実施態様を参照して説明したが、本発明の精神と範囲を逸脱することなく様々な変更や修正を加えることができることは当業者にとって明らかである。
【００９７】
本出願は、２００５年４月２７日出願の日本特許出願（特願２００５−１３０２０３）に基づくものであり、その内容はここに参照として取り込まれる。
【産業上の利用可能性】
【００９８】
本発明の携帯端末装置及び無線通信ユニット並びに携帯端末装置の置き忘れ検出システムは、携帯端末装置が置き忘れられた場合に、その携帯端末装置の捜索を支援する効果を有し、携帯電話の捜索支援等に有用である。
【図面の簡単な説明】
【００９９】
【図１】本発明の第１の実施形態に係るシステムの概要を示す説明図
【図２】第１の実施形態に係るシステムの概略構成を示すブロック図
【図３】第１の実施形態に係る第１の状態における各部の動作を示すシーケンス図
【図４】第１の実施形態に係る第２の状態における各部の動作を示すシーケンス図
【図５】第１の実施形態に係る第３の状態における各部の動作を示すシーケンス図
【図６】第１の実施形態に係る第４の状態における各部の動作を示すシーケンス図
【図７】本発明の第２の実施形態に係るシステムの概要を示す説明図
【符号の説明】
【０１００】
１  所有者
１０、３０  携帯電話
１０ａ、３０ａ  無線認証部
１０ｂ  携帯電話機能部
１１  識別コード格納部
１２  計時部
１３、３３  送受信部
１４、３４  判定部
１５  無線認証制御部
１６  警報発生部
１７  操作部
１８  携帯電話機能制御部
１９  送受信部
２０  無線通信ユニット
２１  識別コード格納部
２２  送受信部
２３、４３  データ分離部
２４、４４  表示部
２５  判定部
２６  警報発生部
３１  位置検出部
４１  地図作成部
５０  衛星
６０  携帯電話基地局
Ａ１ａ、Ａ１ｂ、Ａ２、Ａ３  アンテナ
【手続補正３】
【補正対象書類名】図面
【補正対象項目名】全図
【補正方法】変更
【補正の内容】
【図１】
2006117908.tif 000009
【図２】
2006117908.tif 000010
【図３】
2006117908.tif 000011
【図４】
2006117908.tif 000012
【図５】
2006117908.tif 000013
【図６】
2006117908.tif 000014
【図７】
2006117908.tif 000015
【国際調査報告】
2006117908.tif 000016
2006117908.tif 000017
2006117908.tif 000018
2006117908.tif 000019